(57)【要約】【課題】  配線基板ホルダーを、配線基板を横置き姿勢で設置するときと縦置き姿勢で設置するときとの両方に共用することができるようにする。【解決手段】  横置きホルダー要素１が、取付けビスの挿通孔３と配線基板を横置き姿勢で支持する基板支持部２とを備える。横置きホルダー要素１に、配線基板１００の端縁部１１０を上方から差し込む溝形部６と背面支持部７とを備える縦置きホルダー要素５を追加する。背面支持部７の位置を、プッシュスイッチ４００の搭載箇所の後方に定める。横置きホルダー要素１に荷重受片９を設ける。横置きホルダー要素１に門形構部８を設け、その門形構部８を板片状リブ９１によって荷重受片９と連結する。【選択図】        図１
2006019619.tif 000002
【特許請求の範囲】
【請求項１】
電気機器筐体のホルダー取付け箇所にビス止めされる横置きホルダー要素が、取付けビスの挿通孔と、押込み操作方向が板面に対する接近方向に定められたプッシュスイッチを搭載している配線基板を横置き姿勢で支持するための基板支持部と、を備えている配線基板ホルダーにおいて、
取付けビスの上記挿通孔が上記横置きホルダー要素の後側端縁部に設けられているのに対し、上記横置きホルダー要素の前側端縁部に、上記配線基板の端縁部が上方から差し込まれる溝形部と、その溝形部に端縁部を差し込むことによって縦置き姿勢とされた上記配線基板の背面に当接してその配線基板の背方への倒れ込みを阻止する背面支持部とを備える縦置きホルダー要素を追加してなると共に、上記配線基板が上記横置きホルダー要素に横置き姿勢で配備されているとき、及び、上記配線基板が上記縦置きホルダー要素に縦置き姿勢で配備されているときのいずれの場合も、上記プッシュスイッチが、電気機器筐体の前面パネルに装備された操作ボタンの後方への押下げ操作によって押込み操作されるようになっており、
上記配線基板に位置決め突起が挿入される位置決め孔が備わり、その位置決め孔に挿入される上記位置決め突起が、上記横置きホルダー要素と上記縦置きホルダー要素とにそれぞれ備わり、
上記背面支持部の位置が、上記配線基板のプッシュスイッチの搭載箇所の後方でその配線基板の背面に当接する位置に定められていると共に、上記横置きホルダー要素に、その後側端縁部から後方に延び出て上記電気機器筐体に上記背面支持部の後方で重なり合う荷重受片が備わり、
上記横置きホルダー要素に、上記基板支持部を跨いで設けられた門形構部が備わり、その門形構部の前側脚部にリブ状に形成された上記背面支持部が備わっていると共に、その門形構部の後側脚部と上記荷重受片とが板片状リブによって連結され、
上記溝形部が、横長に形成された上記横置きホルダー要素の横方向複数箇所に設けられた立上り部に分割されていることを特徴とする配線基板ホルダー。
【請求項２】
電気機器筐体のホルダー取付け箇所にビス止めされる横置きホルダー要素が、取付けビスの挿通孔と、押込み操作方向が板面に対する接近方向に定められたプッシュスイッチを搭載している配線基板を横置き姿勢で支持するための基板支持部と、を備えている配線基板ホルダーにおいて、
上記横置きホルダー要素に、上記配線基板の端縁部が上方から差し込まれる溝形部と、その溝形部に端縁部を差し込むことによって縦置き姿勢とされた上記配線基板の背面に当接してその配線基板の背方への倒れ込みを阻止する背面支持部とを備える縦置きホルダー要素を追加してなることを特徴とする配線基板ホルダー。
【請求項３】
取付けビスの上記挿通孔が上記横置きホルダー要素の後側端縁部に設けられているのに対し、上記縦置きホルダー要素が、上記横置きホルダー要素の前側端縁部に設けられていて、上記配線基板が上記横置きホルダー要素に横置き姿勢で配備されているとき、及び、上記配線基板が上記縦置きホルダー要素に縦置き姿勢で配備されているときのいずれの場合も、上記プッシュスイッチが、電気機器筐体の前面パネルに装備された操作ボタンの後方への押下げ操作によって押込み操作されるようになっている請求項１に記載した配線基板ホルダー。
【請求項４】
上記配線基板に位置決め突起が挿入される位置決め孔が備わり、その位置決め孔に挿入される上記位置決め突起が、上記横置きホルダー要素と上記縦置きホルダー要素とにそれぞれ備わっている請求項２又は請求項３のいずれか１項に記載した配線基板ホルダー。
【請求項５】
上記背面支持部の位置が、上記配線基板のプッシュスイッチの搭載箇所の後方でその配線基板の背面に当接する位置に定められている請求項２ないし請求項４のいずれか１項に記載した配線基板ホルダー。
【請求項６】
上記横置きホルダー要素に、その後側端縁部から後方に延び出て上記電気機器筐体に重なり合う荷重受片が備わり、かつ、その荷重受片が、上記背面支持部の後方に位置している請求項５に記載した配線基板ホルダー。
【請求項７】
上記横置きホルダー要素に、上記基板支持部を跨いで設けられた門形構部が備わり、その門形構部の前側脚部に上記背面支持部が備わっていると共に、その門形構部の後側脚部と上記荷重受片とが板片状リブによって連結されている請求項６に記載した配線基板ホルダー。
【発明の詳細な説明】
【技術分野】
【０００１】
本発明は、配線基板ホルダー、特に、配線基板を横置き姿勢でも縦置き姿勢でも保持させることのできる配線基板ホルダーに関する。
【背景技術】
【０００２】
ＤＶＤなどの電気機器の電源回路を形成している配線基板にプッシュスイッチが搭載されていて、そのプッシュスイッチの押込み操作方向が配線基板の板面に対する接近方向（たとえば垂直方向）に定まっている場合、その配線基板を、電気機器筐体の底板（シャーシを含む）に設置するときには、その配線基板を、底板に取り付けられた配線基板ホルダーに保持させるという手段を採用することがある。また、配線基板は、その板面を水平又は略水平となる横置き姿勢として配線基板ホルダーに保持させることが多いけれども、電気機器筐体の前面パネル（フロントパネル）のデザインや、その前面パネルに装備される電源入切用の操作ボタン（押ボタン）の構造などとの関係から、板面を垂直又は略垂直となる縦置き姿勢として配線基板ホルダーに保持させることもある。
【０００３】
そこで、従来は、配線基板ホルダーとして、配線基板を横置き姿勢で保持するものと縦置き姿勢で保持するものとを別々に製作し、それら個別の配線基板ホルダーを配線基板の設置姿勢に応じて使い分けるということが行なわれていた。
【０００４】
従来、プログレッシブ基板をホルダーに横置き姿勢で載架してビス止めする構造が知られていた（たとえば特許文献１参照）。
【０００５】
一方、配線基板を縦置き姿勢で保持させることのものとして、ケースの複数箇所に溝付きリブを並べて立て、それらのリブの溝に配線基板の端縁を差し込んでその配線基板を縦置き姿勢で保持させるようにした平板状部材の固定構造が知られていた（たとえば特許文献２参照）。また、サブ基板の両端を基板ホルダーの溝に差し込むことによってその配線基板を縦置き姿勢で保持させるようにしたプリント回路基板支持装置も知られていた（たとえば特許文献３参照）。
【特許文献１】実用新案登録第３０９００８５号公報
【特許文献２】特開平８−２５５９８６号公報
【特許文献３】実開昭６０−１９４３９３号公報
【発明の開示】
【発明が解決しようとする課題】
【０００６】
特許文献１、特許文献２、特許文献３によって提案されている構造ないしホルダーは、配線基板を横置き姿勢か縦置き姿勢かの一方の姿勢で保持させることだけが可能であるに過ぎず、配線基板を横置き姿勢で保持させることと縦置き姿勢で保持させることとの両方が可能であるというものではない。そのため、従来は、形状ないし大きさが同一である配線基板を横置き姿勢で配備する場合と縦置き姿勢で配備する場合とで、上記したように横置き用の配線基板ホルダーと縦置き用の配線基板ホルダーとを別々に製作し、それらを配線基板の設置姿勢に応じて使い分けるということを行なわざるを得ないというのが実情であった。
【０００７】
しかしながら、横置き用の配線基板ホルダーと縦置き用の配線基板ホルダーとを別々に製作することは煩雑でコスト高になるだけでなく、配線基板ホルダーの管理コストが嵩んだり、あるいは、電気機器組立ラインでの配線基板ホルダーの組付け工程が煩雑になるという問題があった。
【０００８】
本発明は以上の問題に鑑みてなされたものであり、１種類の配線基板ホルダーに、配線基板を横置き姿勢で保持させる機能と縦置き姿勢で保持させる機能の両方を具備させることによって、その配線基板ホルダーを、配線基板を横置き姿勢で設置するときと縦置き姿勢で設置するときとの両方に共用することができるようにすることを目的とする。
【０００９】
また、本発明は、電気機器筐体の前面パネルに装備されている操作ボタンの後方への押下げ操作を行なったときに、プッシュスイッチを搭載した配線基板が横置き姿勢で配備されていても縦置き姿勢で配備されていても、そのプッシュスイッチの押込み操作が確実に行なわれるというスイッチ操作安定性を向上させることのできる配線基板ホルダーを提供することを目的とする。
【００１０】
さらに、本発明は、当該配線基板ホルダーを電気機器筐体の前面パネルにできるだけ近付けて設置することのできる対策を講じることによって、前面パネルに装備される操作ボタンの操作力を、複雑な構造の中間部材を介在させることなく、横置き姿勢又は縦置き姿勢の配線基板に搭載されているプッシュスイッチに確実に伝達させることのできる配線基板ホルダーを提供することを目的とする。
【課題を解決するための手段】
【００１１】
本発明に係る配線基板ホルダーは、電気機器筐体のホルダー取付け箇所にビス止めされる横置きホルダー要素が、取付けビスの挿通孔と、押込み操作方向が板面に対する接近方向に定められたプッシュスイッチを搭載している配線基板を横置き姿勢で支持するための基板支持部と、を備えている。そして、その横置きホルダー要素に、上記配線基板の端縁部が上方から差し込まれる溝形部と、その溝形部に端縁部を差し込むことによって縦置き姿勢とされた上記配線基板の背面に当接してその配線基板の背方への倒れ込みを阻止する背面支持部とを備える縦置きホルダー要素を追加してなる。
【００１２】
この構成の配線基板ホルダーによると、横置きホルダー要素と縦置きホルダー要素とを使い分けることによって、プッシュスイッチを搭載した配線基板を横置き姿勢で設置することも縦置き姿勢で設置することも可能であり、そのために、配線基板を横置き姿勢で設置するときと縦置き姿勢で設置するときとの両方に共用することができるようになる。そして、横置き姿勢で設置された配線基板は横置きホルダー要素の基板支持部によって裏面側から支えられ、縦置き姿勢で設置された配線基板は縦置きホルダー要素の背面支持部によって背面側から支えられるので、プッシュスイッチを押込み操作した場合に、その押込み操作力が基板支持部又は背面支持部により受け止めれようになり、配線基板がぐらついたり撓み変形したりすることがなくなってスイッチ操作安定性が向上する。
【００１３】
本発明では、取付けビスの上記挿通孔が上記横置きホルダー要素の後側端縁部に設けられているのに対し、上記縦置きホルダー要素が、上記横置きホルダー要素の前側端縁部に設けられていて、上記配線基板が上記横置きホルダー要素に横置き姿勢で配備されているとき、及び、上記配線基板が上記縦置きホルダー要素に縦置き姿勢で配備されているときのいずれの場合も、上記プッシュスイッチが、電気機器筐体の前面パネルに装備された操作ボタンの後方への押下げ操作によって押込み操作されるようになっている、という構成を採用することが可能である。
【００１４】
この構成であると、横置きホルダー要素の後側端縁部に取付けビスの挿通孔が設けられていることにより、たとえば電気機器筐体側に設けたねじ孔に取付けビスをねじ込んで当該配線基板ホルダーを固定するときに、電気機器筐体側に設けたねじ孔の形成箇所をその筐体の前端にそれほど近付けなくても横置きホルダー要素や縦置きホルダー要素をその筐体の前端に接近させて配備することが可能である。そのため、電気機器筐体側のねじ孔をその筐体の前端から離れた箇所に形成してそのねじ孔が容易に変形しないようにした上で、横置きホルダー要素や縦置きホルダー要素をその筐体の前端に接近させて配備することにより、前面パネルに装備された操作ボタンの操作力を、複雑な構造の中間部材を介在させることなく、横置き姿勢又は縦置き姿勢の配線基板に搭載されているプッシュスイッチに確実に伝達させることができるようになる。
【００１５】
本発明では、上記配線基板に位置決め突起が挿入される位置決め孔が備わり、その位置決め孔に挿入される上記位置決め突起が、上記横置きホルダー要素と上記縦置きホルダー要素とにそれぞれ備わっている、という構成を採用することができ、これによると、配線基板を、それが横置き姿勢であっても縦置き姿勢であっても、正確に位置決めして設置することが可能である。
【００１６】
本発明では、上記背面支持部の位置が、上記配線基板のプッシュスイッチの搭載箇所の後方でその配線基板の背面に当接する位置に定められていることが望ましい。これによれば、プッシュスイッチに対する押込み操作力が配線基板の撓み変形を伴わずに背面支持部によって受け止められるので、プッシュスイッチの押込み操作が確実に行なわれてスイッチ操作安定性が向上する。この作用は、上記横置きホルダー要素に、その後側端縁部から後方に延び出て上記電気機器筐体に重なり合う荷重受片が備わり、かつ、その荷重受片が、上記背面支持部の後方に位置している、という構成を採用したり、上記横置きホルダー要素に、上記基板支持部を跨いで設けられた門形構部が備わり、その門形構部の前側脚部に上記背面支持部が備わっていると共に、その門形構部の後側脚部と上記荷重受片とが板片状リブによって連結されている、という構成を採用したりすることによっていっそう顕著に発揮される。
【００１７】
本発明に係る配線基板ホルダーは、次の構成を採用することによっていっそう具体化される。すなわち、電気機器筐体のホルダー取付け箇所にビス止めされる横置きホルダー要素が、取付けビスの挿通孔と、押込み操作方向が板面に対する接近方向に定められたプッシュスイッチを搭載している配線基板を横置き姿勢で支持するための基板支持部と、を備えている配線基板ホルダーにおいて、取付けビスの上記挿通孔が上記横置きホルダー要素の後側端縁部に設けられているのに対し、上記横置きホルダー要素の前側端縁部に、上記配線基板の端縁部が上方から差し込まれる溝形部と、その溝形部に端縁部を差し込むことによって縦置き姿勢とされた上記配線基板の背面に当接してその配線基板の背方への倒れ込みを阻止する背面支持部とを備える縦置きホルダー要素を追加してなると共に、上記配線基板が上記横置きホルダー要素に横置き姿勢で配備されているとき、及び、上記配線基板が上記縦置きホルダー要素に縦置き姿勢で配備されているときのいずれの場合も、上記プッシュスイッチが、電気機器筐体の前面パネルに装備された操作ボタンの後方への押下げ操作によって押込み操作されるようになっており、上記配線基板に位置決め突起が挿入される位置決め孔が備わり、その位置決め孔に挿入される上記位置決め突起が、上記横置きホルダー要素と上記縦置きホルダー要素とにそれぞれ備わり、上記背面支持部の位置が、上記配線基板のプッシュスイッチの搭載箇所の後方でその配線基板の背面に当接する位置に定められていると共に、上記横置きホルダー要素に、その後側端縁部から後方に延び出て上記電気機器筐体に上記背面支持部の後方で重なり合う荷重受片が備わり、上記横置きホルダー要素に、上記基板支持部を跨いで設けられた門形構部が備わり、その門形構部の前側脚部にリブ状に形成された上記背面支持部が備わっていると共に、その門形構部の後側脚部と上記荷重受片とが板片状リブによって連結され、上記溝形部が、横長に形成された上記横置きホルダー要素の横方向複数箇所に設けられた立上り部に分割されている、という構成を採用することによっていっそう具体化される。
【００１８】
この発明では、溝形部が、横長に形成された上記横置きホルダー要素の横方向複数箇所に設けられた立上り部に分割されているので、配線基板を縦置き姿勢で設置するときにその配線基板の端縁部を差し込む溝形部を縦置きホルダー要素の全長に亘って設けなくても、配線基板の端縁部の全長部分をそれらの立上り部によって支えさせることが可能である。その他の作用は、後述する実施形態を参照して詳細に説明する。
【発明の効果】
【００１９】
以上のように、本発明によれば、１種類の配線基板ホルダーに、配線基板を横置き姿勢で保持させる機能と縦置き姿勢で保持させる機能の両方を具備させているので、当該配線基板ホルダーを、配線基板を横置き姿勢で設置するときと縦置き姿勢で設置するときとの両方に共用することができるようになる。そのため、従来のように、横置き用と縦置き用とで別々のホルダーを製作する必要がなくなり、配線基板の製作コストや管理コストが安くつき、併せて、組立工程の煩雑さが解消される、という効果が奏される。
【００２０】
その上、本発明によれば、配線基板が横置き姿勢であっても縦置き姿勢であっても、電気機器筐体の前面パネルに装備されている操作ボタンの後方への押下げ操作を行なったときに、配線基板に搭載されているプッシュスイッチの押込み操作が確実に行なわれてスイッチ操作安定性が向上するという効果も得られる。
【００２１】
さらに、ビス止め箇所を電気機器筐体の前端からはなれた箇所に定めた場合でも、当該配線基板ホルダーを電気機器筐体の前面パネルにできるだけ近付けて設置することが可能であるので、当該配線基板ホルダーの取付け強度を高めることが容易であり、しかも、前面パネルに装備される操作ボタンの操作を、複雑な構造の中間部材を介在させることなく、横置き姿勢又は縦置き姿勢の配線基板に搭載されているプッシュスイッチに確実に伝達させることができるようになるという効果が奏される。
【発明を実施するための最良の形態】
【００２２】
図１は本発明の実施形態に係る配線基板ホルダーＡの全体概略斜視図、図２は同全体平面図、図３は要部の側面図である。
【００２３】
この配線基板ホルダーＡは、横長の横置きホルダー要素１と横長の縦置きホルダー要素５とを備える合成樹脂一体成形体でなる。横置きホルダー要素１は、リブ状の縁枠によって形成された基板支持部２と、当該横置きホルダー要素１の後側端縁部の間隔を隔てた複数箇所（図例では２箇所）に形成された取付けビス挿通孔３とを備えていると共に、基板支持部２によって取り囲まれた部分が凹所２１として形成されている。また、基板支持部２の複数箇所（図例では２箇所）で位置決め突起２１が上向きに突出している。
【００２４】
横置きホルダー要素１の前側端縁部に上記縦置きホルダー要素５が設けられている。この縦置きホルダー要素５は、図３に仮想線で示した配線基板１００の端縁部１１０が上方から差し込まれる溝形部６と、その溝形部６に端縁部１１０を差し込むことによって縦置き姿勢とされた配線基板１００の背面に当接してその配線基板１００の背方への倒れ込みを阻止する背面支持部７とを備えている。
【００２５】
上記溝形部６は、横置きホルダー要素１の横幅全体に亘って延びる１条の溝を備える形態で構成することが可能であるけれども、そのようにすると、当該配線基板ホルダーＡが重くなり、成形材料も多く必要になるので、それらを回避することなどを意図して、この実施形態では、溝形部６を横置きホルダー要素１の横方向複数箇所に設けられた立上り部６１，６２，６３に分割してある。さらに具体的には、横置きホルダー要素１の前側端縁部の横幅方向中央部とその左右両側に振り分けて立上り部６１，６２，６３を設けてある。そして、横置きホルダー要素１の横幅方向中央部の立上り部６１には、溝形を形作る１つの前側上向き突片６４とその左右両側の２つの後側上向き突片６５，６５とが備わっている。また、左側の立上り部６２は、前側上向き突片６４を備える第１立上り部６２ａとそれに近接して配備されて後側上向き突片６５を備える第２立上り部６２ｂとに分割されていて、それらの前側上向き突片６４と後側上向き突片６５とが溝形を形作っている。さらに、右側の立上り部６３は溝形を形成している前側上向き突片６４と後側上向き突片６５とを備えていて、後側上向き突片６５の一部が背面支持部７の下端部によって形成されている。そして、中央部の立上り部６１やその両側の立上り部６２，６３のそれぞれの前側上向き突片６４と後側上向き突片６５とによって形作られている溝形は横方向で直線状に並んでいて、それらの各溝幅が同一寸法に定められている。
【００２６】
図例において、縦置きホルダー要素５の背面支持部７は、横方向３箇所に振り分けて設けられた縦長リブによって形成されている。これらの背面支持部７は、それらを１つにまとめて横置きホルダー要素１の横幅全体に亘って延びる板片によって形成することも可能であるけれども、そのようにすると、当該配線基板ホルダーＡが重くなり、成形材料も多く必要になるので、それらを回避するためには、図例のように横方向複数箇所に振り分けて設けられた縦長リブによって形成することが得策である。
【００２７】
次に、横置きホルダー要素１の横幅方向の１箇所に、その基板支持部２を跨ぐ形態で門形構部８が備わり、その門形構部８の後方には、横置きホルダー要素１の後側端縁部から後方に延び出た板片状の荷重受片９が備わっている。そして、門形構部８の前側脚部８１にリブ状に形成された１つの上記背面支持部７が備わっていると共に、その門形構部８の後側脚部８２と上記荷重受片９とが板片状リブ９１によって連結されている。また、門形構部８前側脚部８１と所定の背面支持部７とに前向きに突き出た位置決め突起６６が備わっている。
【００２８】
以上説明した配線基板ホルダーＡにおいて、横置きホルダー要素１は配線基板を横置き姿勢で設置することに用いられ、縦置きホルダー要素５は配線基板を縦置き姿勢で設置することに用いられる。そのため、１つの配線基板ホルダーＡを用いて、配線基板を横置き姿勢で設置することも縦置き姿勢で設置することも可能である。
【００２９】
図４は配線基板１００を横置き姿勢で設置する場合の配線基板ホルダーＡの使用状態を示した概略平面図、図５は同使用状態を示した要部の側面図である。
【００３０】
配線基板１００は横長形状に形成されていて、その所定箇所に位置決め孔１０１が備わっていると共に、ビス止め用の孔部１０２を有している。そして、位置決め孔１０１を、配線基板ホルダーＡの横置きホルダー要素１に設けられている位置決め突起２２に嵌め込むことによって、孔部１０２が配線基板ホルダーＡの取付けビス挿通孔３に位置合わせされるようになっている。したがって、配線基板Ａの位置決め孔１０１を位置決め突起２２に嵌め込んで孔部１０２を配線基板ホルダーＡの取付けビス挿通孔３に位置合わせした後、孔部１０２と取付けビス挿通孔３とに挿通した頭付き取付けビス２００を、たとえば、図５に示した電気機器筐体の板金製の底板３００に形成されているねじ孔（不図示）にねじ込んで締め付けると、その頭付き取付けビス２００によって、配線基板ホルダーＡが電気機器筐体のホルダー取付け箇所に正確に取り付けられると共に、配線基板１００が配線基板ホルダーＡの横置きホルダー要素１に保持されてその基板支持部２に横置き姿勢で重なり状に固定される。
【００３１】
図例の配線基板１００は電気機器、たとえばＤＶＤドライブの電源回路を形成していて、その電源回路の入切を制御するプッシュスイッチ４００を搭載している。このプッシュスイッチ４００は、押込み操作方向が配線基板１００の板面に対する接近方向（たとえば垂直方向）に定められている。そして、このプッシュスイッチ４００が、電気機器筐体の前面パネル３１０に装備された操作ボタン３２０の後方への押下げ操作によって、その操作ボタン３２０に備わっている押下げ杆３２１が支点３２２を中心として下方へ回動してプッシュスイッチ４００を押込み操作するようになっている。ここで、配線基板１００は横置きホルダー要素１の縁枠である基板支持部２によって外周のほゞ全体が下から支えられているので、操作ボタン３２０を後方へ押し下げてプッシュスイッチ４００を押込み操作したときには、配線基板１００が撓み変形することなくプッシュスイッチ４００が押込み操作される。そのため、操作ボタン３２０の後方への押下げ力（操作力）がプッシュスイッチ４００の押込み力に効率よく変換されてプッシュスイッチ４００のスイッチ操作安定性が向上する。
【００３２】
また、配線基板ホルダーＡは、取付けビス挿通孔３が横置きホルダー要素１の後側端縁部に設けられているため、電気機器筐体の底板３００のねじ孔形成箇所をその底板３００の前端から後方へ離れた箇所に設けておいても、横置きホルダー要素１の配備位置を底板３００の前端に近付けることができる。すなわち、図４に示した底板３００の前端とねじ孔形成箇所との距離Ｌを比較的長くしても、横置きホルダー要素１を底板３００の前端に近付けて配備することができる。そのため、上記距離Ｌを短くした場合に起こり得る不都合、たとえば、ねじ孔形成箇所が底板３００の前端に近い箇所に位置してねじ孔が変形しやすくなるという不都合を回避した上で、押下げ杆３２１の長さを可及的短くしてスイッチ操作安定性を向上させることができるという利点がある。
【００３３】
図６は配線基板１００を縦置き姿勢で設置する場合の配線基板ホルダーＡの使用状態を示した概略平面図、図７は同使用状態の要部の拡大水平断面図、図８は同使用状態の要部の側面図である。
【００３４】
図例において、縦置き姿勢で配備されている配線基板１００は、図４又は図５に示した配線基板１００と同一の形状ないし大きさを有していて、その配線基板１００の片側の端縁部が、図８のように複数箇所の立上り部６１，６２，６３によって分割して形成されている溝形部６に差し込まれていると共に、図７のように配線基板Ａの位置決め孔１０１が位置決め突起６６に嵌まり込むことによってその配線基板１００が位置決めされ、しかも、その溝形部６に端縁部１１０を差し込むことによって縦置き姿勢とされた配線基板１００の背面の複数箇所にリブ状の背面支持部７が当接してその配線基板１００の背方への倒れ込みを阻止している。また、図７のように、門形構部８の前側脚部８１に設けられている背面支持部７が、配線基板１００のプッシュスイッチ４００の搭載箇所の後方でその配線基板１００の背面に当接していて、荷重受片９は底板３００に重なり合っている。
【００３５】
なお、配線基板ホルダーＡは、取付けビス挿通孔３に挿通させた頭付き取付けビス２００を底板３００のねじ孔にねじ込んで締め付けることによって底板３００に固定されている。したがって、配線基板ホルダーＡの底板３００に対する取付け箇所は、図４などで説明した箇所と同じ箇所となる。
【００３６】
さらに、電気機器筐体の前面パネル３３０に装備された操作ボタン３４０の後方への押下げ操作によって、その操作ボタン３４０に備わっている押下げ杆３４１が支点３４２を中心として後方へ押し込まれてプッシュスイッチ４００が押込み操作されるようになっている。ここで、配線基板１００は縦置きホルダー要素５の背面支持部７によって後方への倒れ込みが阻止され、しかも、当該配線基板ホルダーＡは、荷重受片９が底板３００に重なり合っていることによりその前側端縁の浮き上がりが阻止されているので、操作ボタン３４０を後方へ押し下げてプッシュスイッチ４００を押込み操作したときには、配線基板１００が撓み変形したり当該配線基板ホルダーＡの前側端縁が浮き上がったりするなく、プッシュスイッチ４００が押込み操作される。そのため、操作ボタン３４０の後方への押下げ力（操作力）がプッシュスイッチ４００の押込み力に効率よく変換されてプッシュスイッチ４００のスイッチ操作安定性が向上する。
【００３７】
また、配線基板ホルダーＡにおいて、縦置きホルダー要素５は、横置きホルダー要素１の前側端縁部に設けられていて、取付けビス挿通孔３が横置きホルダー要素１の後側端縁部に設けられているため、電気機器筐体の底板３００のねじ孔形成箇所をその底板３００の前端から後方へ離れた箇所に設けておいても、横置きホルダー要素１の配備位置を底板３００の前端に近付けてスイッチ操作安定性を向上させることができるという利点がある。
【図面の簡単な説明】
【００３８】
【図１】本発明の実施形態に係る配線基板ホルダーの全体概略斜視図である。
【図２】同全体平面図である。
【図３】同要部の側面図である。
【図４】配線基板を横置き姿勢で設置する場合の配線基板ホルダーの使用状態を示した概略平面図である。
【図５】図４の要部の側面図である。
【図６】配線基板を縦置き姿勢で設置する場合の配線基板ホルダーの使用状態を示した概略平面図である。
【図７】図６の要部の拡大水平断面図である。
【図８】図７の他の要部の側面図である。
【符号の説明】
【００３９】
Ａ  配線基板ホルダー
１  横置きホルダー要素
２  基板支持部
３  取付けビス挿通孔
５  縦置きホルダー要素
６  溝形部
７  背面支持部
８  門形構部
９  荷重受片
２２，６６  位置決め突起
６１，６２，６３  立上り部
８１  門形構部の前側脚部
９１  板片状リブ
１００  配線基板
１０１  位置決め孔
１１０  配線基板の端縁部
３１０，３３０  電気機器筐体の前面パネル
３２０，３４０  操作ボタン
４００  プッシュスイッチ
【図１】
2006019619.tif 000003
【図２】
2006019619.tif 000004
【図３】
2006019619.tif 000005
【図４】
2006019619.tif 000006
【図５】
2006019619.tif 000007
【図６】
2006019619.tif 000008
【図７】
2006019619.tif 000009
【図８】
2006019619.tif 000010